(57)【要約】【課題】ルールに従って施錠または開錠が行われていることを容易に確認でき、かつ保管場所の制約を設けずに物品の施錠固定の管理を行うことができるようにする。【解決手段】ロック装置は、管理対象の物品である管理物品と、所定の位置に設けられた、管理対象物を固定するための固定物とに接続される。ロック装置は、管理物品と固定物との接続部分を施錠部によって施錠することができる。また、ロック装置は、当該施錠部における施錠または開錠に関するログをロック管理装置に送信する。また、ロック管理装置は、ロック装置によって送信されたログを蓄積し、ロック装置を管理する。管理者はロック管理装置のログを確認することができる。【選択図】図１
2018012930.tif 000002
【特許請求の範囲】
【請求項１】
管理対象の第１の物と前記第１の物の管理場所に設けられた第２の物とに接続されるロック装置と、前記ロック装置を管理するロック管理装置と、を有するロック管理システムであって、
前記ロック装置は、
前記ロック装置と前記第１の物との接続部分、または、前記ロック装置と前記第２の物との接続部分を施錠可能に設けられた施錠部と、
前記施錠部による開錠に関するログを、前記ロック管理装置に送信するログ送信部と、
を有することを特徴とするロック管理システム。
【請求項２】
管理対象の第１の物に接続される第１のロック装置と、前記第１のロック装置と第２の物とに接続される第２のロック装置と、前記第１のロック装置および前記第２のロック装置を管理するロック管理装置と、を有するロック管理システムであって、
前記第１のロック装置と前記第２のロック装置との接続部分を施錠可能に設けられた施錠部と、
前記第１のロック装置と前記第２のロック装置が接続され、かつ、前記施錠部によって前記接続部分が施錠されている状態である第１の状態から、前記第１のロック装置と前記第２のロック装置が接続されていない、または、前記施錠部によって前記接続部分が施錠されていない状態である第２の状態に遷移したこと、および前記第２の状態から前記第１の状態に遷移したこと、に関するログを、前記ロック管理装置に送信するログ送信部と、
を有することを特徴とするロック管理システム。
【請求項３】
前記ロック管理装置は、
条件ごとの施錠または開錠の可否をポリシとして記憶するポリシ記憶部と、
前記ログ送信部によって送信されたログの内容が、前記ポリシ記憶部によって記憶されているポリシに違反しているか否かを判定する判定部と、を有することを特徴とする請求項２に記載のロック管理システム。
【請求項４】
前記判定部は、さらに、前記施錠部から施錠または開錠を行うことが通知された場合、前記ポリシ記憶部に記憶されているポリシに基づいて当該施錠または当該開錠の可否を判定し、
前記施錠部は、施錠または開錠を行うことを前記ロック管理装置に通知し、前記ロック管理装置の前記判定部によって当該施錠または当該開錠が許可された場合は、当該施錠または当該開錠を実行することを特徴とする請求項３に記載のロック管理システム。
【請求項５】
前記施錠部近傍の映像を撮影する映像撮影装置をさらに有することを特徴とする請求項２から４のいずれか１項に記載のロック管理システム。
【請求項６】
前記第１のロック装置と前記第１の物との第１の接続部分、または、前記第２のロック装置と前記第２の物との第２の接続部分を施錠可能に設けられた管理施錠部をさらに有し、
前記ログ送信部は、前記管理施錠部による施錠に関するログを、前記ロック管理装置に送信することを特徴とする請求項２から５のいずれか１項に記載のロック管理システム。
【請求項７】
管理対象の第１の物と第２の物とに接続されるロック装置と、前記ロック装置を管理するロック管理装置と、を有するロック管理システムで実行されるロック管理方法であって、
前記ロック装置と前記第１の物との接続部分、または、前記ロック装置と前記第２の物との接続部分の開錠を行う開錠工程と、
前記開錠工程による開錠に関するログを、前記ロック管理装置に送信するログ送信工程と、
を含んだことを特徴とするロック管理方法。
【請求項８】
管理対象の第１の物に接続される第１のロック装置と、前記第１のロック装置と第２の物とに接続される第２のロック装置と、前記第１のロック装置および前記第２のロック装置を管理するロック管理装置と、を有するロック管理システムで実行されるロック管理方法であって、
前記第１のロック装置と前記第２のロック装置との接続部分の施錠を行う施錠工程と、
前記第１のロック装置と前記第２のロック装置が接続され、かつ、前記施錠工程によって前記接続部分が施錠されている状態である第１の状態から、前記第１のロック装置と前記第２のロック装置が接続されていない、または、前記施錠工程によって前記接続部分が施錠されていない状態である第２の状態に遷移したこと、および前記第２の状態から前記第１の状態に遷移したこと、に関するログを、前記ロック管理装置に送信するログ送信工程と、
を含んだことを特徴とするロック管理方法。
【発明の詳細な説明】
【技術分野】
【０００１】
本発明は、ロック管理システムおよびロック管理方法に関する。
【背景技術】
【０００２】
物品を施錠固定し、物品の施錠固定状態を検知する技術として、通常のワイヤロック装置（例えば特許文献１を参照）、ＲＦＩＤ（Radio  Frequency  Identification）（例えば特許文献２を参照）保管庫等を用いた技術が知られている。
【０００３】
例えば、通常のワイヤロック装置を用いた技術では、セキュリティスロット等の標準化された物理ＩＦを有する管理物品に、ワイヤロックの一方の端を接続する。そして、この接続を施錠固定し、ワイヤロックの他方の端を固定位置に巻き付け固定等を行う。これにより、通常のワイヤロック装置は、管理物品を固定位置に施錠固定する。
【０００４】
また、ＲＦＩＤ保管庫を用いた技術では、管理物品にＲＦＩＤタグを貼付け、保管庫に施錠保管する。そして、保管庫内部に設定されたＲＦＩＤアンテナが、保管庫内部に物品存在するか否かを検知する。また、保管庫のかわりに施錠できるロッカールームの形態をとることもできる。
【先行技術文献】
【特許文献】
【０００５】
【特許文献１】特表２００４−５１０２３２号公報
【特許文献２】特開２００７−０６２９３２号公報
【発明の概要】
【発明が解決しようとする課題】
【０００６】
しかしながら、従来の技術には、ルールに従って施錠または開錠が行われていることを容易に確認できない場合があり、また、保管場所の制約を設けずに物品の施錠固定の管理を行うことができない場合があるという問題があった。
【０００７】
例えば、通常のワイヤロックを用いた技術では、会社組織等において、管理物品のワイヤロック施錠がルール化されていることがある。このとき、ワイヤロック施錠または開錠を行う担当者をマネジメントする立場の管理者が、担当者が当該ルールに従ってワイヤロック施錠または開錠を行っているかを確認することは困難である。担当者が管理簿等に施錠記録等を記入するようにしても、管理簿の記載が事実か否かを管理者が確認することは困難である。
【０００８】
また、ＲＦＩＤ保管庫を用いた技術では、広範囲の職場環境におけるノートＰＣのように、管理物品が広範囲に分散して固定される場合がある。このような場合、管理物品それぞれに対してＲＦＩＤ保管庫を導入することは、設置スペース、すなわち保管場所の制約があり困難な場合がある。
【課題を解決するための手段】
【０００９】
本発明のロック管理システムは、管理対象の第１の物と前記第１の物の管理場所に設けられた第２の物とに接続されるロック装置と、前記ロック装置を管理するロック管理装置と、を有するロック管理システムであって、前記ロック装置は、前記ロック装置と前記第１の物との接続部分、または、前記ロック装置と前記第２の物との接続部分を施錠可能に設けられた施錠部と、前記施錠部による開錠に関するログを、前記ロック管理装置に送信するログ送信部と、を有することを特徴とする。
【００１０】
本発明のロック管理システムは、管理対象の第１の物に接続される第１のロック装置と、前記第１のロック装置と第２の物とに接続される第２のロック装置と、前記第１のロック装置および前記第２のロック装置を管理するロック管理装置と、を有するロック管理システムであって、前記第１のロック装置と前記第２のロック装置との接続部分を施錠可能に設けられた施錠部と、前記第１のロック装置と前記第２のロック装置が接続され、かつ、前記施錠部によって前記接続部分が施錠されている状態である第１の状態から、前記第１のロック装置と前記第２のロック装置が接続されていない、または、前記施錠部によって前記接続部分が施錠されていない状態である第２の状態に遷移したこと、および前記第２の状態から前記第１の状態に遷移したこと、に関するログを、前記ロック管理装置に送信するログ送信部と、を有することを特徴とする。
【００１１】
本発明のロック管理方法は、管理対象の第１の物と第２の物とに接続されるロック装置と、前記ロック装置を管理するロック管理装置と、を有するロック管理システムで実行されるロック管理方法であって、前記ロック装置と前記第１の物との接続部分、または、前記ロック装置と前記第２の物との接続部分の開錠を行う開錠工程と、前記開錠工程による開錠に関するログを、前記ロック管理装置に送信するログ送信工程と、を含んだことを特徴とする。
【００１２】
本発明のロック管理方法は、管理対象の第１の物に接続される第１のロック装置と、前記第１のロック装置と第２の物とに接続される第２のロック装置と、前記第１のロック装置および前記第２のロック装置を管理するロック管理装置と、を有するロック管理システムで実行されるロック管理方法であって、前記第１のロック装置と前記第２のロック装置との接続部分の施錠を行う施錠工程と、前記第１のロック装置と前記第２のロック装置が接続され、かつ、前記施錠工程によって前記接続部分が施錠されている状態である第１の状態から、前記第１のロック装置と前記第２のロック装置が接続されていない、または、前記施錠工程によって前記接続部分が施錠されていない状態である第２の状態に遷移したこと、および前記第２の状態から前記第１の状態に遷移したこと、に関するログを、前記ロック管理装置に送信するログ送信工程と、を含んだことを特徴とする。
【発明の効果】
【００１３】
本発明によれば、ルールに従って施錠または開錠が行われていることを容易に確認でき、かつ保管場所の制約を設けずに物品の施錠固定の管理を行うことができる。
【図面の簡単な説明】
【００１４】
【図１】図１は、第１の実施形態に係るロック管理システムの構成の一例を示す図である。
【図２】図２は、第１の実施形態に係るロック管理システムの処理の流れを示すフローチャートである。
【図３】図３は、第２の実施形態に係るロック管理システムの構成の一例を示す図である。
【図４】図４は、第３の施錠部の施錠方法について説明するための図である。
【図５】図５は、ロック管理装置の構成の一例を示す図である。
【図６】図６は、ロック管理システムの動作の一例を示す図である。
【図７】図７は、第２の実施形態に係るロック管理システムの処理の流れを示すフローチャートである。
【図８】図８は、第３の実施形態について説明するための図である。
【図９】図９は、プログラムが実行されることによりロック管理装置が実現されるコンピュータの一例を示す図である。
【発明を実施するための形態】
【００１５】
以下に、本願に係るロック管理システムおよびロック管理方法の実施形態を図面に基づいて詳細に説明する。なお、この実施形態により本発明が限定されるものではない。
【００１６】
［第１の実施形態の構成］
まず、図１を用いて、第１の実施形態に係るロック管理システムの構成について説明する。図１は、第１の実施形態に係るロック管理システムの構成の一例を示す図である。図１に示すように、ロック管理システム１は、ロック装置１１およびロック管理装置１２を有する。また、ロック装置１１は、第１の物である管理物品１３ａおよび第２の物である固定物１３ｂと接続されている。ロック装置１１は、例えばワイヤ、チェーン、鋼材等により管理物品１３ａおよび固定物１３ｂと接続される。例えば、ワイヤまたチェーンで管理物品１３ａおよび固定物１３ｂを接続し、ワイヤまたはチェーンの長さを調整することで、管理物品１３ａを管理対象のエリアの外に持ち出せないようにしつつ、管理対象の範囲内では持ち運び可能にすることができる。
【００１７】
また、管理物品１３ａは、例えばセキュリティスロット付きのＰＣ等である。また、固定物１３ｂは、柱や什器等である。例えば、管理物品１３ａをノートＰＣ、固定物１３ｂを机とすることができる。
【００１８】
また、ロック装置１１は、第１の施錠部１１１ａおよび第２の施錠部１１１ｂを有する。第１の施錠部１１１ａは、ロック装置１１と管理物品１３ａとの接続部分を施錠可能に設けられている。また、第２の施錠部１１１ｂは、ロック装置１１と固定物１３ｂとの接続部分の施錠を施錠可能に設けられている。また、施錠担当者１４は、鍵１５を用いて、第１の施錠部１１１ａおよび第２の施錠部１１１ｂの施錠および開錠を行うことができることとする。なお、ロック装置１１には、第１の施錠部１１１ａおよび第２の施錠部１１１ｂのうちの少なくとも一方が備えられていればよい。
【００１９】
また、ロック装置１１は、センサ１１２、制御部１１３、および通信部１１４を有する。センサ１１２は、第１の施錠部１１１ａまたは第２の施錠部１１１ｂによって、施錠および開錠が行われたことを検知する。なお、センサ１１２は施錠および開錠のうち、少なくとも開錠が行われたことを検知する。
【００２０】
そして、通信部１１４は、第１の施錠部１１１ａによる施錠および開錠に関するログを、ロック管理装置１２にイベントログとして送信する。また、通信部１１４は、第２の施錠部１１１ｂによる施錠および開錠に関するログを、ロック管理装置１２にイベントログとして送信する。このとき、通信部１１４は、ログ送信部として機能する。なお、イベントログには、例えばイベントが施錠、開錠、接続、接続の解除のいずれであるか、および、当該イベントが発生した時刻が含まれる。
【００２１】
制御部１１３は、ロック装置１１全体の制御を行う。制御部１１３は、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路である。また、制御部１１３は、各種の処理手順を規定したプログラムや制御データを格納するための内部メモリを有し、内部メモリを用いて各処理を実行する。
【００２２】
［第１の実施形態の処理］
図２を用いて、ロック管理システム１の処理について説明する。図２は、第１の実施形態に係るロック管理システムの処理の流れを示すフローチャートである。図２に示すように、センサ１１２は、第１の施錠部１１１ａまたは第２の施錠部１１１ｂにおいて、施錠または開錠が発生したことを検知する（ステップＳ１０１）。次に、通信部１１４は、ロック管理装置１２にログを送信する（ステップＳ１０２）。なお、ステップＳ１０１においては、施錠が発生したことを検知することは必須ではなく、センサ１１２は、少なくとも開錠が発生したことを検知すればよい。
【００２３】
［第１の実施形態の効果］
第１の施錠部１１１ａは、ロック装置１１と管理物品１３ａとの接続部分を施錠可能に設けられている。そして、通信部１１４は、第１の施錠部１１１ａによる開錠に関するログを、ロック管理装置１２に送信する。
【００２４】
第２の施錠部１１１ｂは、ロック装置１１と固定物１３ｂとの接続部分を施錠可能に設けられている。そして、通信部１１４は、第２の施錠部１１１ｂによる開錠に関するログを、ロック管理装置１２に送信する。
【００２５】
このように、開錠に関するログがロック管理装置１２に送信されるため、管理者は、ロック管理装置１２に送信されたログを確認することで、ルールに従って開錠が行われているか否かを容易に確認することができる。また、固定物１３ｂを任意の場所とすることで、保管場所の制約を設けずに物品の施錠固定の管理を行うことができるようになる。
【００２６】
なお、開錠に関するログは、ルールに反した持ち出しや盗難の際にも発生するものであり、セキュリティ上特に重要である。このため、ロック管理システム１において、施錠に関するログがロック管理装置１２に送信される構成とすることは必須ではないが、開錠に関するログがロック管理装置１２に送信される構成とすることは必須である。
【００２７】
［第２の実施形態］
次に、第２の実施形態について説明する。第１の実施形態では、１つのロック装置によって管理物品および固定物が接続されていたのに対し、第２の実施形態では、２つのロック装置によって管理物品および固定物が接続される。そして、当該２つのロック装置は、施錠可能な接続部によって接続される。
【００２８】
［第２の実施形態の構成］
まず、図３を用いて第２の実施形態の構成について説明する。図３に示すように、ロック管理システム２は、第１のロック装置２１ａ、第２のロック装置２１ｂおよびロック管理装置２２を有する。また、第１のロック装置２１ａは、第１の物である管理物品２３ａと接続されている。また、第２のロック装置２１ｂは、第２の物である固定物２３ｂと接続されている。第１のロック装置２１ａおよび第２のロック装置２１ｂは、それぞれ、例えばワイヤ、チェーン、鋼材等により管理物品２３ａおよび固定物２３ｂと接続される。管理物品２３ａは、例えばセキュリティスロット付きのＰＣ等である。また、固定物２３ｂは、柱や什器等である。
【００２９】
また、第１のロック装置２１ａは、第１の施錠部２１１ａを有する。第１の施錠部２１１ａは、第１のロック装置２１ａと管理物品２３ａとの接続部分を施錠可能に設けられている。また、第２のロック装置２１ｂは、第２の施錠部２１１ｂを有する。第２の施錠部２１１ｂは、第２のロック装置２１ｂと固定物２３ｂとの接続部分を施錠可能に設けられている。なお、第１の施錠部２１１ａおよび第２の施錠部２１１ｂは、管理施錠部の一例である。
【００３０】
第１のロック装置２１ａは、第１の接続部２１６ａを有する。また、第２のロック装置２１ｂは、第２の接続部２１６ｂを有する。第１の接続部２１６ａと第２の接続部２１６ｂとは、互いに接続され、一体化される。そして、第２のロック装置２１ｂの第３の施錠部２１１ｃは、第１のロック装置２１ａと第２のロック装置２１ｂとの接続部分、すなわち第１の接続部２１６ａと第２の接続部２１６ｂとの接続部分を施錠可能に設けられている。
【００３１】
各施錠部は、例えば物理的なシリンダー鍵である。また、各施錠部は、開錠番号を鍵とするダイヤル鍵であってもよいし、非接触ＩＣチップを鍵とする構成であってもよいし、生体認証機構を組み合わせて生体情報を鍵とする構成であってもよい。
【００３２】
また、第２のロック装置２１ｂは、センサ２１２ｂ、制御部２１３ｂ、状態判定部２１４ｂ、通信部２１５ｂおよび操作制限部２１７ｂを有する。センサ２１２ｂは、第１の接続部２１６ａと第２の接続部２１６ｂが接続されたことおよび接続が解除されたことを検知する。また、センサ２１２ｂは、第３の施錠部２１１ｃによって施錠が行われたこと、および開錠が行われたことを検知する。操作制限部２１７ｂについては後述する。
【００３３】
ここで、第１の接続部２１６ａと第２の接続部２１６ｂとが接続され、かつ、接続部分が第３の施錠部２１１ｃによって施錠されている状態を第１の状態とする。また、第１の状態以外の状態、すなわち、第１の接続部２１６ａと第２の接続部２１６ｂとが接続されていない、または、接続部分が第３の施錠部２１１ｃによって施錠されてない状態を第２の状態とする。
【００３４】
センサ２１２ｂによって検知が行われると、状態判定部２１４ｂは、ログを通知するか否かを判定する。状態判定部２１４ｂは、センサ２１２ｂの検知結果が、第１の状態から第２の状態に遷移したこと、または第２の状態から第１の状態に遷移したことを示している場合、ログを通知すると判定する。
【００３５】
状態判定部２１４ｂは、センサ２１２ｂの検知結果が、第１の接続部２１６ａと第２の接続部２１６ｂとが接続されていること、および接続部分が第３の施錠部２１１ｃによって施錠されていることを示している場合、現在の状態が第１の状態であると判定する。また、状態判定部２１４ｂは、センサ２１２ｂの検知結果が、第１の接続部２１６ａと第２の接続部２１６ｂとが接続されていないこと、または接続部分が第３の施錠部２１１ｃによって施錠されていないことを示している場合、現在の状態が第２の状態であると判定する。そして、センサ２１２ｂによって検知が行われる前の状態と現在の状態を比較し、第１の状態と第２の状態との間で状態が変化している場合、状態判定部２１４ｂは、ログを通知すると判定する。
【００３６】
状態判定部２１４ｂがログを通知すると判定した場合、通信部２１５ｂは、第１の状態から第２の状態に遷移したこと、または第２の状態から第１の状態に遷移したことに関するログをロック管理装置２２に送信する。通信部２１５ｂは、第１の状態から第２の状態に遷移したこと、および第２の状態から第１の状態に遷移したことに関するログを、ロック管理装置２２に送信する。
【００３７】
制御部２１３ｂは、第２のロック装置２１ｂ全体の制御を行う。制御部２１３ｂは、例えば、ＣＰＵ、ＭＰＵ等の電子回路や、ＡＳＩＣ、ＦＰＧＡ等の集積回路である。また、制御部２１３ｂは、各種の処理手順を規定したプログラムや制御データを格納するための内部メモリを有し、内部メモリを用いて各処理を実行する。
【００３８】
なお、第３の施錠部２１１ｃ、センサ２１２ｂ、制御部２１３ｂ、状態判定部２１４ｂおよび通信部２１５ｂは、第１のロック装置２１ａに備えられていてもよい。ただし、図３の構成のように、管理物品２３ａ側の第１のロック装置２１ａをコンパクトな構成とする方が、管理物品２３ａ側の取り扱いが制限されにくくなる。
【００３９】
また、施錠担当者２４は、第３の施錠部２１１ｃの施錠および開錠を行う鍵２５を管理する。また、管理者２６は、第１の施錠部２１１ａの施錠および開錠を行う鍵２７と、第２の施錠部２１１ｂの施錠および開錠を行う鍵２８とを管理する。なお、以降の説明において、第１の接続部２１６ａおよび第２の接続部２１６ｂが接続され、第３の施錠部２１１ｃによって施錠が行われた状態を固定された状態とよぶ場合がある。
【００４０】
第１の状態は、鍵２５を用いなければ、管理物品２３ａの接続を解除することができない状態である。また、第２の状態は、鍵２５を用いることなく、管理物品２３ａの接続を解除できる状態、もしくは既に接続が解除されている状態である。
【００４１】
図４を用いて、第３の施錠部２１１ｃの施錠方法について説明する。図４は、第３の施錠部の施錠方法について説明するための図である。図４に示すように、第１の接続部２１６ａには、非接触ＩＣタグを有する検出物２１２ａが設けられる。センサ２１２ｂは、ＩＣタグリーダを有し、検出物２１２ａの存在を検知し、検出物２１２ａの個体を識別する。
【００４２】
なお、センサ２１２ｂは、光センサ、渦電流変異センサ、超音波センサ、画像センサ等であってもよい。いずれの場合であっても、センサ２１２ｂは、第１の接続部２１６ａと第２の接続部２１６ｂが適切に接続されていない場合は、検出物２１２ａの存在を検知しない。
【００４３】
例えば、図４に示すように、第１の接続部２１６ａに設けられた小穴の奥に検出物２１２ａを設置し、センサ２１２ｂを、第２の接続部２１６ｂの、当該小穴に挿入する部分に設ける。これにより、センサ２１２ｂの設置部分を小穴に挿入しない限り、センサ２１２ｂは検出物２１２ａを検知しない。
【００４４】
また、センサ２１２ｂは、第３の施錠部２１１ｃによって施錠が行われたことを検知する。また、接続に関する検知を行うセンサと、施錠に関する検知を行うセンサをそれぞれ設ける構成としてもよい。
【００４５】
図４に示すように、第３の施錠部２１１ｃは、鍵２５を回すことによって施錠を行う。鍵２５が第３の施錠部２１１ｃの鍵穴に挿入された状態で回転すると、センサ２１２ｂの設置部分が回転する。また、鍵２５以外の鍵では、センサ２１２ｂの設置部分は回転しない。また、センサ２１２ｂは、第１の接続部２１６ａの外部からは検出物２１２ａを検知することはできない。なお、第３の施錠部２１１ｃによる施錠は、電子的な制御機構によって自動的に行われるようにしてもよい。
【００４６】
状態判定部２１４ｂは、センサ２１２ｂの検知結果を基に論理演算を行い、ログを通知するか否かを判定する。例えば、接続状態を示す値を「１：接続」、「０：非接続」とし、固定状態を示す値を、「１：固定」、「０：非固定」のように設定すると、状態判定部２１４ｂは、接続状態を示す値と固定状態を示す値の論理積が１の場合は第１の状態、０の場合は第２の状態とすることができる。そして、状態判定部２１４ｂは、センサ２１２ｂによる検知前の状態を記憶しておき、状態が第１の状態と第２の状態との間で変化した場合に、ログを通知すると判定する。
【００４７】
図５を用いて、ロック管理装置２２の構成について説明する。図５は、ロック管理装置の構成の一例を示す図である。図５に示すように、ロック管理装置２２は、制御部２２１、判定部２２２、ログ蓄積部２２３、ポリシ記憶部２２４および通信部２２５を有する。
【００４８】
制御部２２１は、ロック管理装置２２全体の制御を行う。制御部２２１は、例えば、ＣＰＵ、ＭＰＵ等の電子回路や、ＡＳＩＣ、ＦＰＧＡ等の集積回路である。また、制御部２２１は、各種の処理手順を規定したプログラムや制御データを格納するための内部メモリを有し、内部メモリを用いて各処理を実行する。
【００４９】
ログ蓄積部２２３は、第１のロック装置２１ａおよび第２のロック装置２１ｂから送信されたログを蓄積する。ポリシ記憶部２２４は、条件ごとの施錠または開錠の可否をポリシとして記憶する。通信部２２５は、第１のロック装置２１ａおよび第２のロック装置２１ｂから送信されたログを受信する。判定部２２２については後述する。
【００５０】
図５に示すようにログ蓄積部２２３には、時刻およびイベントが蓄積される。例えば、ログ蓄積部２２３は、送信されたログを基に、施錠、施錠、接続、接続解除等のイベントを蓄積する。例えば、図５の例では、ログ蓄積部２２３は、３／２１の１０：００：００に開錠が行われたこと、および、３／２１の１０：１０：００に施錠が行われたことを蓄積している。なお、ロック装置Ａ、Ｂ、Ｃは、ロック管理装置２２が管理している装置であり、いずれも第２のロック装置２１ｂと同様の構成の装置である。このように、ロック管理装置２２は、複数の第２のロック装置２１ｂを管理することができる。
【００５１】
なお、第２のロック装置２１ｂが、送信するログにイベントの発生時刻を含める場合、当該時刻をログ蓄積部２２３に蓄積される時刻とすることができる。また、第２のロック装置２１ｂが、送信するログにイベントの発生時刻を含めない場合、ロック管理装置２２が当該ログを受信した時刻をログ蓄積部２２３に蓄積される時刻とすることができる。
【００５２】
また、判定部２２２は、通信部２１５ｂによって送信されたログの内容が、ポリシ記憶部２２４によって記憶されているポリシに違反しているか否かを判定する。例えば、ポリシ記憶部２２４には、ロック装置Ａのポリシとして、３／２１の００：００―１２：００の間は開錠不可であることが記憶されている。一方で、ログ蓄積部２２３は、３／２１の１０：００：００に開錠が行われたことを示している。このため、判定部２２２は、３／２１の１０：００：００に行われた開錠がポリシ違反であったと判定する。この場合、管理者は判定結果を参照することで、ルール違反があったことを容易に確認することができる。また、ロック管理装置２２は、判定部２２２によってポリシ違反であることが判定された場合、アラームを発出するようにしてもよい。
【００５３】
また、判定部２２２は、ポリシ違反となる操作が行われる前に判定を行ってもよい。この場合、第２のロック装置２１ｂは、施錠および開錠のいずれかが要求された場合、施錠または開錠を行うことをロック管理装置２２に通知する。そして、判定部２２２は、第３の施錠部２１１ｃから施錠または開錠を行うことが通知された場合、ポリシ記憶部２２４に記憶されているポリシに基づいて当該施錠または当該開錠の可否を判定する。判定部２２２は、時刻および要求の内容を基に、当該要求がポリシ違反であるか否かを判定する。
【００５４】
そして、通信部２２５は、判定部２２２による判定の結果を通信部２１５ｂに送信する。第３の施錠部２１１ｃは、そして、ロック管理装置２２の判定部２２２によって当該要求がポリシ違反でないと判定された場合、すなわち当該施錠または当該開錠が許可された場合は、当該施錠または当該開錠を実行する。一方、判定部２２２によって当該要求がポリシ違反であると判定された場合、操作制限部２１７ｂは、当該要求された操作の実行を制限する。例えば、操作制限部２１７ｂは、電子的に第３の施錠部２１１ｃを制御し、鍵の挿入や回転ができないようにしてもよい。
【００５５】
なお、図６に示すように、第２のロック装置２１ｂは、通信部２１５ｂを介して、あらかじめポリシをダウンロードしておいてもよい。この場合、第２のロック装置２１ｂは、操作の要求をロック管理装置２２に通知することなく、ポリシ違反の判定および操作制限を行うことができる。図６は、ロック管理システムの動作の一例を示す図である。
【００５６】
第１の施錠部２１１ａおよび第２の施錠部２１１ｂについては、常時固定としてもよいし、第１の実施形態における第１の施錠部１１１ａおよび第２の施錠部１１１ｂと同様の構成としてもよい。また、ロック管理システム２には、第１の施錠部２１１ａおよび第２の施錠部２１１ｂのうちの一方が備えられていてもよいし、いずれも備えられていなくてもよい。
【００５７】
例えば、第１の施錠部２１１ａは、第１のロック装置２１ａと管理物品２３ａとの接続部分を施錠可能に設けられている。そして、通信部２１５ｂは、第１の施錠部２１１ａによる施錠に関するログを、ロック管理装置２２に送信する。
【００５８】
また、例えば、第２の施錠部２１１ｂは、第２のロック装置２１ｂと固定物２３ｂとの接続部分を施錠可能に設けられている。そして、通信部２１５ｂは、第２の施錠部２１１ｂによる施錠に関するログを、ロック管理装置２２に送信する。
【００５９】
［第２の実施形態の処理］
図７を用いて、ロック管理システム２の処理について説明する。図７は、第２の実施形態に係るロック管理システムの処理の流れを示すフローチャートである。図７に示すように、センサ２１２ｂは、第１の接続部２１６ａと第２の接続部２１６ｂとの接続、接続の解除、第３の施錠部２１１ｃにおける施錠、および開錠が要求されたことを検知する（ステップＳ２０１）。
【００６０】
そして、第２のロック装置２１ｂの通信部２１５ｂは、検知結果をロック管理装置２２に送信する。ロック管理装置２２は、検知結果について、当該要求がポリシ違反であるか否かを判定する。そして、ロック管理装置２２の通信部２２５は、判定結果を第２のロック装置２１ｂに送信する。判定結果がポリシ違反である場合（ステップＳ２０２、Ｙｅｓ）、操作制限部２１７ｂは、要求された操作を制限する（ステップＳ２０３）。判定結果がポリシ違反でない場合（ステップＳ２０２、Ｎｏ）、要求された操作が実行される（ステップＳ２０４）。
【００６１】
そして、状態判定部２１４ｂは、ログを通知するか否かを判定する（ステップＳ２０５）。そして、操作によって発生したイベントが通知対象のイベントである場合（ステップＳ２０５、Ｙｅｓ）、通信部２１５ｂは、イベントのログをロック管理装置２２に送信する（ステップＳ２０６）。操作によって発生したイベントが通知対象のイベントでない場合（ステップＳ２０５、Ｎｏ）、第２のロック装置２１ｂはログの通知を行わず、処理を終了する。なお、ロック管理システム２は、ステップＳ２０１、Ｓ２０２およびＳ２０３の処理を行わず、ポリシ違反であるか否かについては、送信されたログを基に事後に判定することとしてもよい。
【００６２】
［第２の実施形態の効果］
第３の施錠部２１１ｃは、第１のロック装置２１ａと第２のロック装置２１ｂとの第１の接続部２１６ａと第２の接続部２１６ｂとの接続部分を施錠可能に設けられている。また、通信部２１５ｂは、第１のロック装置２１ａと第２のロック装置２１ｂが接続され、かつ、第３の施錠部２１１ｃによって第１の接続部２１６ａと第２の接続部２１６ｂとの接続部分が施錠されている状態である第１の状態から、第１のロック装置２１ａと第２のロック装置２１ｂが接続されていない、または、第３の施錠部２１１ｃによって第１の接続部２１６ａと第２の接続部２１６ｂとの接続部分が施錠されていない状態である第２の状態に遷移したこと、および第２の状態から第１の状態に遷移したこと、に関するログを、ロック管理装置２２に送信する。
【００６３】
このように、施錠に関するログがロック管理装置２２に送信されるため、管理者２６は、ロック管理装置２２に送信されたログを確認することで、ルールに従って施錠が行われているか否かを容易に確認することができる。また、固定物２３ｂを任意の場所とすることで、保管場所の制約を設けずに物品の施錠固定の管理を行うことができるようになる。
【００６４】
また、管理者２６が第１の施錠部２１１ａおよび第２の施錠部２１１ｂの管理を行い、施錠担当者２４が第３の施錠部２１１ｃの管理を行うことができ、より柔軟な運用が可能となる。なお、この場合、管理者２６は、第１の施錠部２１１ａおよび第２の施錠部２１１ｂが確実に固定されていることを確認しつつ、第１の接続部２１６ａと第２の接続部２１６ｂとの接続関係および固定関係を、ロック管理装置２２を介して確認することができる。
【００６５】
ポリシ記憶部２２４は、条件ごとの施錠または開錠の可否をポリシとして記憶する。また、判定部２２２は、通信部２１５ｂによって送信されたログの内容が、ポリシ記憶部２２４によって記憶されているポリシに違反しているか否かを判定する。これにより、管理者は判定結果を参照することで、ルール違反があったことをより容易に確認することができる。
【００６６】
判定部２２２は、さらに、第３の施錠部２１１ｃから施錠または開錠を行うことが通知された場合、ポリシ記憶部２２４に記憶されているポリシに基づいて当該施錠または当該開錠の可否を判定する。この場合、第３の施錠部２１１ｃは、施錠または開錠を行うことをロック管理装置２２に通知する。そして、ロック管理装置２２の判定部２２２によって当該施錠または当該開錠が許可された場合は、当該施錠または当該開錠を実行する。これにより、ポリシ違反となる操作の実行を防止することができる。
【００６７】
また、第１の施錠部２１１ａは、第１のロック装置２１ａと管理物品２３ａとの接続部分を施錠可能に設けられている。そして、通信部２１５ｂは、第１の施錠部２１１ａによる施錠に関するログを、ロック管理装置２２に送信する。また、第２の施錠部２１１ｂは、第２のロック装置２１ｂと固定物２３ｂとの接続部分を施錠可能に設けられている。そして、通信部２１５ｂは、第２の施錠部２１１ｂによる施錠に関するログを、ロック管理装置２２に送信する。これにより、管理者２６は、第３の施錠部２１１ｃだけでなく、第１の施錠部２１１ａおよび第２の施錠部２１１ｂについても、ルールに従って施錠が行われているか否かを容易に確認することができる。
【００６８】
［第３の実施形態］
第２の実施形態では、鍵２５が常に施錠担当者２４によって管理されていることを前提としていた。しかしながら、鍵２５が盗難されることも考えられる。このような場合、施錠担当者２４でない者であっても鍵２５を使用して第３の施錠部２１１ｃを操作することが可能となる。
【００６９】
そこで、第３の実施形態では、ロック管理システム２に、映像センサ２９がさらに備えられる。映像センサ２９は、第３の施錠部２１１ｃ近傍の映像を撮影する。図８は、第３の実施形態について説明するための図である。図８に示すように、映像センサ２９は、第３の施錠部２１１ｃの近傍を監視エリア２９１として監視する。そして、管理者２６は、ロック管理装置２２に蓄積されたログとともに映像センサ２９によって撮影された監視映像を確認することで、第３の施錠部２１１ｃに対する操作、特にポリシ違反と判定された操作を誰が行ったかを特定することができるようになる。なお、映像センサ２９による監視映像がロック管理装置２２に蓄積されるようにしてもよい。
【００７０】
［システム構成等］
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況等に応じて、任意の単位で機能的または物理的に分散・統合して構成することができる。さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【００７１】
また、本実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、制御手順、具体的名称、各種のデータやパラメータを含む情報については、特記する場合を除いて任意に変更することができる。
【００７２】
［プログラム］
一実施形態として、ロック管理装置は、パッケージソフトウェアやオンラインソフトウェアとして上記の機器リスト作成を実行する機器リスト作成プログラムを所望のコンピュータにインストールさせることによって実装できる。例えば、上記のロック管理プログラムを情報処理装置に実行させることにより、情報処理装置をロック管理システム１の各装置として機能させることができる。ここで言う情報処理装置には、デスクトップ型またはノート型のパーソナルコンピュータが含まれる。また、その他にも、情報処理装置にはスマートフォン、携帯電話機やＰＨＳ（Personal  Handyphone  System）等の移動体通信端末、さらには、ＰＤＡ（Personal  Digital  Assistant）等のスレート端末等がその範疇に含まれる。
【００７３】
また、ロック管理装置は、管理者の端末をクライアントとし、当該クライアントに上記のロック管理に関するサービスを提供するロック管理サーバ装置として実装することもできる。例えば、ロック管理サーバ装置は、ロック装置に関するデータを入力とし、各ロック装置から送信されたログを出力とするロック管理サービスを提供するサーバ装置として実装される。この場合、ロック装置サーバ装置は、Ｗｅｂサーバとして実装することとしてもよいし、アウトソーシングによって上記の機器リスト作成に関するサービスを提供するクラウドとして実装することとしてもかまわない。
【００７４】
図９は、プログラムが実行されることによりロック管理装置が実現されるコンピュータの一例を示す図である。コンピュータ１０００は、例えば、メモリ１０１０、ＣＰＵ１０２０を有する。また、コンピュータ１０００は、ハードディスクドライブインタフェース１０３０、ディスクドライブインタフェース１０４０、シリアルポートインタフェース１０５０、ビデオアダプタ１０６０、ネットワークインタフェース１０７０を有する。これらの各部は、バス１０８０によって接続される。
【００７５】
メモリ１０１０は、ＲＯＭ（Read  Only  Memory）１０１１およびＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１１００に接続される。例えば磁気ディスクや光ディスク等の着脱可能な記憶媒体が、ディスクドライブ１１００に挿入される。シリアルポートインタフェース１０５０は、例えばマウス１１１０、キーボード１１２０に接続される。ビデオアダプタ１０６０は、例えばディスプレイ１１３０に接続される。
【００７６】
ハードディスクドライブ１０９０は、例えば、ＯＳ１０９１、アプリケーションプログラム１０９２、プログラムモジュール１０９３、プログラムデータ１０９４を記憶する。すなわち、ロック管理システムの各装置の各処理を規定するプログラムは、コンピュータにより実行可能なコードが記述されたプログラムモジュール１０９３として実装される。プログラムモジュール１０９３は、例えばハードディスクドライブ１０９０に記憶される。例えば、第２のロック装置２１ｂにおける機能構成と同様の処理を実行するためのプログラムモジュール１０９３が、ハードディスクドライブ１０９０に記憶される。なお、ハードディスクドライブ１０９０は、ＳＳＤにより代替されてもよい。
【００７７】
また、上述した実施形態の処理で用いられる設定データは、プログラムデータ１０９４として、例えばメモリ１０１０やハードディスクドライブ１０９０に記憶される。そして、ＣＰＵ１０２０が、メモリ１０１０やハードディスクドライブ１０９０に記憶されたプログラムモジュール１０９３やプログラムデータ１０９４を必要に応じてＲＡＭ１０１２に読み出して実行する。
【００７８】
なお、プログラムモジュール１０９３やプログラムデータ１０９４は、ハードディスクドライブ１０９０に記憶される場合に限らず、例えば着脱可能な記憶媒体に記憶され、ディスクドライブ１１００等を介してＣＰＵ１０２０によって読み出されてもよい。あるいは、プログラムモジュール１０９３およびプログラムデータ１０９４は、ネットワーク（ＬＡＮ（Local  Area  Network）、ＷＡＮ（Wide  Area  Network）等）を介して接続された他のコンピュータに記憶されてもよい。そして、プログラムモジュール１０９３およびプログラムデータ１０９４は、他のコンピュータから、ネットワークインタフェース１０７０を介してＣＰＵ１０２０によって読み出されてもよい。
【符号の説明】
【００７９】
１、２  ロック管理システム
１１  ロック装置
１２、２２  ロック管理装置
２１ａ  第１のロック装置
２１ｂ  第２のロック装置
１３ａ、２３ａ  管理物品
１３ｂ、２３ｂ  固定物
１４、２４  施錠担当者
１５、２５、２７、２８  鍵
２６  管理者
２９  映像センサ
１１１ａ、２１１ａ  第１の施錠部
１１１ｂ、２１１ｂ  第２の施錠部
２１１ｃ  第３の施錠部
１１２、２１２ｂ  センサ
１１３、２１３ｂ、２２１  制御部
１１４、２１５ｂ、２２５  通信部
２１２ａ  検出物
２１４ｂ  状態判定部
２１７ｂ  操作制限部
２２２    判定部
２２３    ログ蓄積部
２２４    ポリシ記憶部
【図１】
2018012930.tif 000003
【図２】
2018012930.tif 000004
【図３】
2018012930.tif 000005
【図４】
2018012930.tif 000006
【図５】
2018012930.tif 000007
【図６】
2018012930.tif 000008
【図７】
2018012930.tif 000009
【図８】
2018012930.tif 000010
【図９】
2018012930.tif 000011